(57)【要約】【課題】副表示装置を見栄え良く収納するとともに、収納された副表示装置の引出し操作性を向上させる。【解決手段】副表示装置３０は、筐体２０内部において主表示装置２８の背面に設けられた収容部に配置される収容位置と、筐体２０の側面部２４に設けられた収容開口部２４Ｈから引出して主表示装置２８の側方に隣接して配置される使用位置との間でスライド可能に構成されている。副表示装置は、副表示部３１を収容する枠体３２と、枠体における引出側の端部の全高に亘って、副表示部３１の厚みよりも大きな幅寸法に形成された引出操作部３５とを備えている。筐体２０は、収容開口部２４Ｈに設けられ、引出操作部３５を収容する引出操作部収容部と、副表示装置３０と係合状態にあるときに引出操作部３５が押し込み操作された場合に副表示装置３０との係合状態を解除し、引出操作部３５を収容開口部２４Ｈから外部に突出させるプッシュラッチ機構とを備える。【選択図】        図３
2010128105.tif 000002
【特許請求の範囲】
【請求項１】
正面が開口した箱形状に形成された筐体と、
前記筐体の正面開口部から主表示部を露出させた状態で前記筐体に収容される主表示装置と、
前記筐体内部において前記主表示装置の背面に設けられた収容部に配置される収容位置と、前記筐体の側面に設けられた収容開口部から引出して前記主表示装置の側方に隣接して配置される使用位置との間でスライド可能に構成された副表示装置とを備えた電子機器において、
前記副表示装置は、
副表示部を収容する枠体と、
前記枠体における引出側の端部の全高に亘って、前記副表示部の厚みよりも大きな幅寸法に形成された引出操作部とを備え、
前記筐体は、
前記収容開口部に設けられ、前記引出操作部を収容する引出操作部収容部と、
前記副表示装置と係合することにより前記副表示装置を前記収容位置に保持する一方、前記副表示装置と係合状態にあるときに前記引出操作部が押し込み操作された場合に、前記副表示装置との係合状態を解除し、前記引出操作部を前記収容開口部から外部に突出させるプッシュラッチ機構とを備えたことを特徴とする電子機器。
【請求項２】
前記引出操作部は、前記副表示部よりも手前側に突出して形成される一方、
前記引出操作部収容部は、前記引出操作部を収容すべく前記収容部の内方の収容領域よりも手前側に突出して形成され、
前記収容部内においてスライド可能に支持部材が設けられるとともに、
前記副表示装置は、前記支持部材に回転機構を介して手前側に回転可能に支持され、前記使用位置にあるときにその回転端部が前記引出操作部収容部に配置されることを特徴とする請求項１に記載の電子機器。
【請求項３】
携帯用のパーソナルコンピュータであることを特徴とする請求項１又は２に記載の電子機器。
【発明の詳細な説明】
【技術分野】
【０００１】
本発明は、表示装置を備えた電子機器に関するものである。
【背景技術】
【０００２】
液晶ディスプレイ等の表示装置を備えた電子機器として、ノートブック型パーソナルコンピュータが知られている。ノートブック型パーソナルコンピュータ（以下、単に「ノートＰＣ」という）は、本体筐体及び蓋体筐体を備えて構成されている。本体筐体の内部にはコンピュータの構成部品が収容され、その上面にはキーボードが設けられている。蓋体筐体は本体筐体の上面に対向する面に表示装置を備えたものであり、本体筐体の上面に対して開閉可能となる態様で、本体筐体に回転可能に支持されている。
【０００３】
上記のノートＰＣにおいて、主表示装置の背面に副表示装置をスライド可能に配置し、使用時にこの副表示装置をスライドさせることにより、主表示装置の側方に隣接して配置するように構成されたものが知られている（例えば特許文献１を参照）。
【０００４】
【特許文献１】特開平１１−１４９３２８号公報
【発明の開示】
【発明が解決しようとする課題】
【０００５】
特許文献１のノートＰＣでは、副表示装置を主表示装置の背面にスライドさせて収納している。このため、副表示装置の収納時に副表示装置が外部に露出し、収納時の見栄えが悪いという問題がある。
【０００６】
収納時の見栄えをよくするために副表示装置を主表示装置の筐体内部に収容することが考えられるが、この場合、筐体から副表示装置を引出す際の操作性が悪くなるという別の問題が生じる。
【０００７】
本発明は、上記実情に鑑みてなされたもので、主表示装置と副表示装置とを備えた電子機器において、副表示装置を見栄え良く収納することがきるとともに、収納された副表示装置を引出す際の操作性に優れる電子機器を提供することを目的とする。
【課題を解決するための手段】
【０００８】
上記目的を達成するため、本発明は、正面が開口した箱形状に形成された筐体と、前記筐体の正面開口部から主表示部を露出させた状態で前記筐体に収容される主表示装置と、前記筐体内部において前記主表示装置の背面に設けられた収容部に配置される収容位置と、前記筐体の側面に設けられた収容開口部から引出して前記主表示装置の側方に隣接して配置される使用位置との間でスライド可能に構成された副表示装置とを備えた電子機器において、前記副表示装置は、副表示部を収容する枠体と、前記枠体における引出側の端部の全高に亘って、前記副表示部の厚みよりも大きな幅寸法に形成された引出操作部とを備え、前記筐体は、前記収容開口部に設けられ、前記引出操作部を収容する引出操作部収容部と、前記副表示装置と係合することにより前記副表示装置を前記収容位置に保持する一方、前記副表示装置と係合状態にあるときに前記引出操作部が押し込み操作された場合に、前記副表示装置との係合状態を解除し、前記引出操作部を前記収容開口部から外部に突出させるプッシュラッチ機構とを備えたことを特徴とする。
【０００９】
また、本発明の好ましい態様によれば、前記引出操作部が、前記副表示部よりも手前側に突出して形成される一方、前記引出操作部収容部が、前記引出操作部を収容すべく前記収容部の内方の収容領域よりも手前側に突出して形成され、前記収容部内においてスライド可能に支持部材が設けられるとともに、前記副表示装置が、前記支持部材に回転機構を介して手前側に回転可能に支持され、前記使用位置にあるときにその回転端部が前記引出操作部収容部に配置されることが望ましい。
【００１０】
また、本発明の好ましい態様によれば、携帯用のパーソナルコンピュータに適用されることが望ましい。
【発明の効果】
【００１１】
本発明の電子機器によれば、副表示装置を収納する際に、副表示装置の引出操作部が、筐体の側面に設けた収容開口部の内部に収容されることで、引出操作部の操作面を筐体の側面と略面一とすることができ、副表示装置を見栄え良く収納することができる。また、副表示装置を収容開口部から引き出す際には、引出操作部を押し込み操作して収容開口部から突出させることで、引出操作部を把持して容易に引出すことができる。さらに、引出操作部は、薄型に形成された副表示部の厚みよりも大きな幅寸法に形成されているため、引出操作部を収容開口部に押し込む際の操作性に優れる。
【００１２】
また、本発明の電子機器では、引出操作部を副表示部よりも手前側に突出させるとともに、引出操作部収容部を収容部の内方の収容領域よりも手前側に突出させた構成としている。そして、副表示装置を手前側に回転可能に構成し、副表示装置が使用位置にあるときにその回転端部を引出操作部収容部に配置させた構成としている。上記のように構成したことで、引出操作部収容部は、引き出された状態の副表示装置を手前側に回転させる際の回転を許容する逃げ部として機能する。その結果、副表示装置の回転端部を収容部内に配置した状態で、操作者が見やすい角度に副表示装置を手前側に回転させることが可能となる。さらに、副表示装置の回転端部を収容開口部の外側に配置した場合と比べて、副表示装置を主表示装置に近付けて配置させることができるため、使用者の視線の移動を少なくすることができる。
【発明を実施するための最良の形態】
【００１３】
以下に添付図面を参照して、本発明の電子機器を携帯用のパーソナルコンピュータ（以下、「ノートブック型パーソナルコンピュータ」という）に適用した場合の好適な実施の形態について詳細に説明する。
【００１４】
図１は、本実施の形態であるノートブック型パーソナルコンピュータ１（以下、単に「ノートＰＣ１」と称する）を示した斜視図である。ここで例示するノートＰＣ１は、本体筐体１０及び蓋体筐体２０を備えている。
【００１５】
本体筐体１０は、図には明示していないが、その内部に制御手段であるＣＰＵや記憶手段であるメモリ、電源装置であるバッテリー等のノートＰＣ１の構成部品を収容する箱体であり、その上面１１にキーボード１２を備えている。キーボード１２は、図示は省略するが、金属板によって構成したベース部材の上面にメンブレンスイッチシート及び複数のキートップ１３を配設して構成した入力装置である。本体筐体１０の上面１１において手前側に位置する部位にはパームレスト領域１４が確保してある。
【００１６】
蓋体筐体２０は、正面が開口した薄型の箱体であり、本体筐体１０の上面１１に対して開閉可能となる態様でヒンジ部材２１を介して本体筐体１０に回転可能に支持されている。この蓋体筐体２０は、正面部２２、左側面部２３、右側面部２４、上側面部２５及び背面部２６（図８を参照）とを備えて構成されている。なお、背面部２６は一般的にリアカバーと称される部位であり、蓋体筐体２０が閉じた状態にあるときに蓋体筐体２０の上面となる部位である。以下では、蓋体筐体２０の正面部２２側を「蓋体筐体２０の手前側」、背面部２６側を「蓋体筐体２０の奥側」として説明する。
【００１７】
図１示すように、蓋体筐体２０の正面部２２には、正面開口部２２Ｈから表示画面を外部に露出させる態様で主表示部２７が設けられている。主表示部２７は、液晶ディスプレイや有機ＥＬ等から構成されるものである。以下では、蓋体筐体２０の正面部２２と主表示部２７とを総称して主表示装置２８とよぶ。
【００１８】
蓋体筐体２０の内部において、主表示装置２８と背面部２６との間には所定の大きさの空間である収容部４１が設けられており、この収容部４１に後述する副表示装置３０が収容されている（図８を参照）。また、蓋体筐体２０の右側面部２４には、収容部４１と連通する収容開口部２４Ｈが設けられている。
【００１９】
図２は、図１に示したノートＰＣ１の収容開口部２４Ｈから副表示装置３０を引き出す途中を示した図であり、図３は、副表示装置３０を完全に引き出した状態を示した図である。副表示装置３０は、液晶ディスプレイや有機ＥＬ等からなる矩形状の副表示部３１と、この副表示部３１の周縁及び背面を覆う矩形状の枠体３２とを備えている。この副表示装置３０は、図１に示すように蓋体筐体２０内部の収容部４１に配置される「収容位置」と、図３に示すように収容開口部２４Ｈから引出されて主表示装置２８に隣接して配置される「使用位置」との間でスライド可能に構成されている。
【００２０】
枠体３２は、図３に示すように、副表示部３１における表示画面の引出側の端部を覆う引出側枠体３２ａと、引出側と反対側の端部を覆う基端側枠体３２ｂと、表示画面の上部を覆う上側枠体３２ｃと、表示画面の下部を覆う下側枠体３２ｄ及び背面を覆う背面側枠体３２ｅ（図８を参照）とから構成されている。
【００２１】
副表示装置３０を使用しないときには、図１に示すように副表示装置３０はその全体が蓋体筐体２０の内部に収容される。そして、副表示装置３０を使用する際には、図２に示すように操作者によって副表示装置３０が収容開口部２４Ｈから引き出され、図３に示すように主表示装置２８の側方に隣接して配置される。
【００２２】
図５〜図７は、図１〜図３に示したノートＰＣ１の蓋体筐体２０の正面部２２を外し、収容部４１を露出させた状態を正面から見た図である。図５は図１に対応し、図６は図２に対応し、図７は図３に対応している。図５に示すように、収容部４１には副表示装置３０を収容位置と使用位置との間でスライドさせるスライド機構５０が設けられている。このスライド機構５０は、一対のレール５１ａ，５１ｂと、このレール５１ａ，５１ｂ間に配置される支持部材５２とから構成されている。
【００２３】
一対のレール５１ａ，５１ｂは、蓋体筐体２０の背面部２６の上端部及び下端部にそれぞれ配置されている。上側のレール５１ａにおいて、収容開口部２４Ｈの近傍には、上方へ向けて突出する凹部５３ａが設けられている。同様に、下側のレール５１ｂにおいて、収容開口部２４Ｈの近傍には、下方へ向けて突出する凹部５３ｂが設けられている。
【００２４】
支持部材５２は、副表示装置３０を支持する支持板５４と、この支持板５４の上端と下端にそれぞれ取り付けられた複数の車輪５５とから構成されている。これらの複数の車輪５５のうち上下各ひとつの車輪５５は、ばね５６を介して支持板５４に連結され、レール５１ａ，５１ｂを付勢している。支持板５４の右側の端部には、副表示装置３０の基端側枠体３２ｂがヒンジ部材５７を介して手前側に回転可能に支持されている。
【００２５】
図５に示す状態において、副表示装置３０に引出し方向の操作力が加えられると、図６に示すように支持部材５２がレール５１ａ，５１ｂに沿って右側にスライドし、副表示装置３０が収容開口部２４Ｈから外部に露出する。図６に示す状態からさらに支持部材５２が右側にスライドすると、図７に示すように副表示部３１全体が外部に露出するとともに、ばね５６に接続された車輪５５がレール５１ａ，５１ｂの凹部５３ａ，５３ｂに係合することで、支持部材５２のスライドが係止する。これにより、副表示装置３０は主表示装置２８の側方に隣接して配置・固定され、使用できる状態となる。そして、図７に示す状態において、副表示装置３０に左側方向への押圧操作力が加えられると、ばね５６に接続された車輪５５が凹部５３ａ，５３ｂを乗り越えることで支持部材５２が左側にスライドし、副表示装置３０は蓋体筐体２０の内部に収容される。
【００２６】
ここで、蓋体筐体２０内に収容された副表示装置３０を操作者が引き出す際には、副表示装置３０の引出側の端部を把持して引き出し操作を行う。しかし、副表示装置３０が収容位置にあるとき、副表示装置３０の引出側の端部は、図１及び図５に示すように収容開口部２４Ｈ内に完全に収容された状態となる。したがって、この状態で引出側の端部を把持することはできない。そこで、操作者が副表示装置３０の引出側の端部を把持できるように、本実施の形態では以下のような引出機構を採用している。
【００２７】
図８〜図１１は、蓋体筐体２０の収容開口部２４の近傍を上から見た図であり、副表示装置３０の引出機構を説明するための図である。なお、図８〜図１１では、蓋体筐体２０の上面部２５を省略している。
【００２８】
図３及び図８に示すように、上述した副表示装置３０における引出側枠体３２ａは、その先端部分が全高に亘って副表示部３１よりも手前側に突出して形成されている。この突出した部分は、後述する押し込み操作あるいは引き出し操作を行う際に操作者が操作する部位であり、以下ではこの突出した部分を「引出操作部３５」とよぶ。図８に示すように、この引出操作部３５の幅寸法（奥行き方向の寸法）は、副表示部３１の厚み寸法よりも大きく形成されている。近年、液晶ディスプレイの薄型化が進んでおり、副表示部３１の厚みは、図８に示すように８ｍｍ程度である。これに対し、引出操作部３５の幅寸法は、一般的な人間の指の太さ（１０ｍｍ）と同等以上（例えば１２．５ｍｍ程度）に形成されている。このように、副表示部３１の厚みに比して引出操作部３５の幅寸法を大きくすることで、後述する押し込み操作を行う際の操作性を向上させることができる。
【００２９】
一方、図８に示すように、蓋体筐体２０の正面部２２は、その右端部の厚みが他の部位の厚みよりも薄く形成されている。すなわち、収容開口部２４Ｈの近傍部位２２ａが、主表示部２７を収容する部位２２ｂよりも薄く形成されている。このため、収容部４１において、収容開口部２４Ｈ近傍の収容領域は、これより内方の収容領域よりも手前側に突出した空間となっている。この収容領域は、上述した引出操作部３５を収容するための領域であり、その奥行き寸法は引出操作部３５よりもわずかに大きく形成されている。以下では、この収容領域を「引出操作部収容部４３」とよぶ。
【００３０】
また、この引出操作部収容部４３は、引出操作部３５を押し込み操作する際の押し込み空間としても機能する。引出操作部３５を押し込む距離（押し込み深さ）は、図９に示すように、収容開口部２４Ｈから引出操作部収容部４３の内壁部２２ｃまでの距離である。この押し込み深さは、次に説明するプッシュラッチ機構６０の構成に応じて決まる。
【００３１】
図５〜図７に示すように、収容部４１には、副表示装置３０を収容位置に保持するプッシュラッチ機構６０が設けられている。プッシュラッチ機構６０は、図６に示すように、蓋体筐体２０の背面部２６に取付け・固定されたプッシュラッチ本体６１と、支持板５４の左端部に取付け・固定された係合部材６２とから構成されている。係合部材６２の先端には、フック部材６２ａが設けられている。また、図示は省略するが、プッシュラッチ本体６１の内部には、フック部材６２ａと係合するフック受け部材が設けてある。このプッシュラッチ機構６０は、公知のラッチ機構であるため詳しい説明は省略するが、以下、簡単に説明すると、係合部材６２のフック部材６２ａを、プッシュラッチ本体６１内部に押し込むことにより、フック部材６２ａがフック受け部材と係合してロックされる。これにより、副表示装置３０が収容位置に保持される。そして、ロックされた状態で、フック部材６２ａを再度押し込むことにより、フック部材６２ａとフック受け部材との係合が解除されると同時に、フック受け部材に設けられた弾性部材（図示せず）によって副表示装置３０側に弾性力が付与される。その結果、副表示装置３０の引出側の端部は、操作者が把持できる程度に収容開口部２４Ｈから突出する。これにより、操作者は、突出した引出操作部３５を把持して副表示装置３０を引き出すことが可能となる。
【００３２】
上述したように、副表示装置３０は、その基端側枠体３２ｂがヒンジ部材５７を介して手前側に回転可能に支持部材５２に支持されている。このため、副表示装置３０が使用位置に配置されている状態では、図４に示すように、主表示装置２８と平行に配置された状態（点線で示された状態）から、手前側に向けて所定の角度回転させることができる。以下、副表示装置３０の回転機構について説明する。
【００３３】
副表示装置３０を主表示装置２８の側方に隣接配置して使用する場合、副表示装置３０の副表示部３１が主表示装置の主表示部２７から離れ過ぎると、使用者の視線の移動が大きくなるため、使用者の目が疲れやすくなるといった問題が生じる。また、副表示装置３０が主表示装置２８から離れるにつれて、副表示部３１の液晶の視野角が大きくなるため、使用者が副表示部３１の画面を見る際に画面の色調が変わってしまうという問題もある。
【００３４】
このため、副表示部３１は、できるだけ主表示部２７に近付けて配置されるのが好ましい。そこで、本実施の形態では、副表示装置３０が使用位置にあるとき、副表示装置３０の全体を外部に配置せず、図７及び図１１に示すように基端側枠体３２ｂの一部を収容部４１内に位置させた構成としている。
【００３５】
この場合、図７及び図１１に示すように、回転端部（すなわち、ヒンジ部材５７の回転軸）は収容部４１内に配置される。この状態で副表示装置３０を手前側に回転させる際に、上述した引出操作部収容部４３は、図１１に示すように副表示装置３０の回転を許容する逃げ部として機能する。このため、副表示装置３０が手前側に回転する際に、基端側枠体３２ｂが蓋体筐体２０の正面部２２の内壁面にぶつかって回転が妨げられることはなく、回転軸を収容部４１内に配置した状態で、副表示装置３０を手前側に所定の角度回転させることができる。
【００３６】
また、蓋体筐体２０の正面部２２における内壁先端には、切欠き部２２ｄが設けられている。この切欠き部２２ｄの切欠き角度は、ヒンジ部材５７の回転軸の位置と、副表示装置３０の回転角度から決まるものである。しかしながら、切欠き部２２ｄを必ずしも設ける必要はなく、内壁先端は直角に形成されていてもよい。なお、副表示装置３０の最大回転角度は、上述した液晶の視野角等を考慮して決められる。
【００３７】
次に、上述した副表示装置３０の引出し及び収納操作と、その作用について説明する。図１及び図８に示すように、副表示装置３０は、引出操作部３５が蓋体筐体２０の側面部２４と略面一となる態様で、蓋体筐体２０内部に収容されている。このとき、プッシュラッチ機構６０は、副表示装置３０側のフック部材６２ａが蓋体筐体２０側のフック受け部材と係合したロック状態にある。したがって、副表示装置３０は、このプッシュラッチ機構６０によって収容位置に保持された状態にある。
【００３８】
この状態から副表示装置３０を引き出す際には、まず、図９に示すように引出操作部３５を指で押し込み操作する。ここで、引出操作部３５は指の幅と同等程度の寸法を有しているので、引出操作部３５を収容開口部２４Ｈに押し込む際に、指が収容開口部２４Ｈにぶつかって操作が妨げられることはない。引出操作部３５を図９の矢印方向に押し込んだ後、引出操作部３５から指を離すと、プッシュラッチ機構６０のフック部材６２ａとフック受け部材との係合が解除されると同時に、フック受け部材に設けられた弾性部材の弾性力によって引出操作部３５が収容開口部２４Ｈから突出する。
【００３９】
次に、収容開口部２４Ｈから突出した引出操作部３５を把持して、図２及び図１０に示すように副表示装置３０を右側に引き出していくと、スライド機構５０の車輪５５が凹部５３ａ，５３ｂに係合することにより、スライドが係止されるとともに、副表示装置３０が図３に示すように主表示装置２８の側方に隣接して配置される。この状態から、図４及び図１１に示すように副表示装置３０を手前側に回転させ、操作者が見やすい角度に副表示装置３０の位置を調整する。以上の操作を行うことにより、副表示装置３０が使用可能な状態となる。
【００４０】
また、図４及び図１１に示す状態から、副表示装置３０を蓋体筐体２０の内部に収納する際には、まず副表示装置３０を奥方に回転させて図３に示す位置に戻した後、副表示装置３０を左側にスライドさせ、副表示部３１を蓋体筐体２０の内部に収容する。そして、引出操作部３５を引出操作部収容部４３内に押し込むと、プッシュラッチ機構６０のフック部材６２ａがプッシュラッチ本体６１に押し込まれ、フック受け部材と係合する。これによりプッシュラッチ機構６０はロック状態となるため、副表示装置３０は収容位置に保持される。このとき、引出操作部３５は蓋体筐体２０の側面部２４に面一な状態に配置されるため、副表示装置３０を蓋体筐体２０に一体的に収納することができる。
【００４１】
なお、主表示部２７と副表示部３１の各表示画面には、それぞれ異なる表示内容を表示してもよく、また、１つの表示内容を分割して、主表示部２７と副表示部３１とに亘って表示してもよい。
【００４２】
以上説明したように、本実施の形態のノートＰＣ１によれば、副表示装置３０を収納する際に、副表示装置３０の引出操作部３５が、蓋体筐体２０の側面部２４に設けた収容開口部２４Ｈの内部に収容されることで、引出操作部３５の操作面を蓋体筐体２０の側面部２４と略面一とすることができ、副表示装置３０を蓋体筐体２０に一体的に収納することができる。その結果、従来のように副表示装置３０が主表示装置２８の背面に露出する収納と比べて、副表示装置３０を見栄え良く収納することができる。
【００４３】
また、副表示装置３０を収容開口部２４Ｈから引き出す際には、引出操作部３５を押し込み操作して収容開口部２４Ｈから突出させることで、引出操作部３５を把持して容易に引出すことができる。
【００４４】
さらに、引出操作部３５は、薄型に形成された副表示部３１の厚みよりも大きな幅寸法、具体的には、一般的な人間の指の幅程度に形成されているため、引出操作部３５を収容開口部２４Ｈに押し込む際の操作性に優れる。
【００４５】
また、本実施の形態のノートＰＣ１では、引出操作部３５を副表示部３１よりも手前側に突出させるとともに、引出操作部収容部４３を、収容部４１の内方の収容領域よりも手前側に突出させた構成としている。そして、副表示装置３０を手前側に回転可能に構成し、副表示装置３０が使用位置にあるときにその回転端部を引出操作部収容部４３に配置させた構成としている。上記のように構成したことで、引出操作部収容部４３は、引き出された状態の副表示装置３０を手前側に回転させる際の回転を許容する逃げ部として機能する。その結果、副表示装置３０の回転端部を収容部４１内に配置した状態で、操作者が見やすい角度に副表示装置３０を手前側に回転させることが可能となる。
【００４６】
さらに、副表示装置３０の回転端部を収容開口部２４Ｈの外側に配置した場合と比べて、副表示装置３０を主表示装置２８に近付けて配置させることができるようになるため、使用者の視線の移動を少なくすることができる。
【００４７】
なお、上記実施の形態では、蓋体筐体２０の右側面部２４に収容開口部２４Ｈを設け、蓋体筐体２０の右側から副表示装置３０を引き出すように構成したが、本発明はこれに限定されるものではない。例えば、左側面部２３に収容開口部を設け、蓋体筐体２０の左側から副表示装置３０を引き出すように構成してもよい。
【００４８】
また、上記実施の形態では、蓋体筐体２０の左右のいずれか一方の側面部から副表示装置３０を引き出す構成としたが、副表示装置３０を２枚用意し、左右両方の側面部から同時に２枚の副表示装置３０を引き出す構成としてもよい。
【００４９】
さらに、上記実施の形態では、本発明の電子機器をノートブック型パーソナルコンピュータに適用した例について説明したが、本発明はこれに限定されるものではなく、表示装置を備えたその他の電子機器に適用することも可能である。
【図面の簡単な説明】
【００５０】
【図１】本発明の実施の形態であるノートＰＣを示した概略斜視図である。
【図２】図１に示したノートＰＣの収容開口部から副表示装置を引き出す途中を示した図である。
【図３】図２に示した状態から副表示装置を使用位置まで完全に引き出した状態を示した図である。
【図４】図３に示した状態から副表示装置を手前側に回転させた状態を示した図である。
【図５】図１に示したノートＰＣの収容部を露出させた状態の正面図である。
【図６】図２に示したノートＰＣの収容部を露出させた状態の正面図である。
【図７】図３に示したノートＰＣの収容部を露出させた状態の正面図である。
【図８】副表示装置の引出機構を説明するための図である。
【図９】副表示装置の引出機構を説明するための図である。
【図１０】副表示装置の引出機構を説明するための図である。
【図１１】副表示装置の引出機構を説明するための図である。
【符号の説明】
【００５１】
１      ノートブック型パーソナルコンピュータ（電子機器）
１０      本体筐体
１１      本体筐体の上面
１２      キーボード
１３      キートップ
１４      パームレスト領域
１５      ヒンジ部
２０      蓋体筐体（筐体）
２１      ヒンジ部材
２２      正面部
２２Ｈ    正面開口部
２３      左側面部
２４      右側面部
２４Ｈ    収容開口部
２５      上面部
２６      背面部
２７      主表示部
２８      主表示装置
３０      副表示装置
３１      副表示部
３２      枠体
３２ａ    引出側枠体
３２ｂ    基端側枠体
３２ｃ    上側枠体
３２ｄ    下側枠体
３２ｅ    背面側枠体
３５      引出操作部
４１      収容部
４３      引出操作部収容部
５０      スライド機構
５１ａ，５１ｂ    レール
５２      支持部材
５３ａ，５３ｂ    凹部
５４      支持板
５５      車輪
５６      ばね
５７      ヒンジ部材
６０      プッシュラッチ機構
６１      プッシュラッチ本体
６２      係合部材
６２ａ    フック部材
７０      指
【図１】
2010128105.tif 000003
【図２】
2010128105.tif 000004
【図３】
2010128105.tif 000005
【図４】
2010128105.tif 000006
【図５】
2010128105.tif 000007
【図６】
2010128105.tif 000008
【図７】
2010128105.tif 000009
【図８】
2010128105.tif 000010
【図９】
2010128105.tif 000011
【図１０】
2010128105.tif 000012
【図１１】
2010128105.tif 000013